(57)【要約】【課題】  既設フェンスの支柱をそのまま利用して新しい支柱に替えることができるので、既設フェンスの改装が安価に容易且つ短時間に行える。【解決手段】  既設フェンスを改装するための支柱カバーであって、既設支柱２１に被せられる断面三角形状の筒状カバー本体１と、カバー本体１を支柱２１に固定するための固定手段としてのボルト２とを備え、カバー本体１は、雄雌嵌合構造により一体化される前面側ピース３と後面側ピース４とからなっている。【選択図】  図１
2006169749.tif 000002
【特許請求の範囲】
【請求項１】
既設フェンスの改装時に使用される支柱カバーであって、前記既設フェンスの支柱に被せられる筒状カバー本体と、前記カバー本体を前記支柱に固定するための固定手段とを備えていることを特徴とする改装用支柱カバー。
【請求項２】
前記カバー本体は、結合可能な少なくとも２つのピースに分割されていることを特徴とする、請求項１記載の改装用支柱カバー。
【請求項３】
前記カバー本体は、前面側ピースおよび後面側ピースの２つのピースに分割され、前記両ピースは、雄雌嵌合構造により結合可能であることを特徴とする、請求項１記載の改装用支柱カバー。
【請求項４】
前記支柱は、ハット形鋼からなっていることを特徴とする、請求項１から３の内の何れか１つに記載の改装用支柱カバー。
【請求項５】
前記カバー本体は、平面形状がほぼ三角形状、四角形状または円形状に形成されていることを特徴とする、請求項１から４の内の何れか１つに記載の改装用支柱カバー。
【請求項６】
前記固定手段は、ボルトからなっていることを特徴とする、請求項１から５の内の何れか１つに記載の改装用支柱カバー。
【請求項７】
既設フェンスを支柱を残して解体し、次に、前記既設支柱にカバーを被せ、そして、このようにしてカバーを被せた既設支柱を新設支柱としてフェンスを構築することを特徴とする、既設フェンスの改装方法。
【請求項８】
前記カバーは、結合可能な前面側ピースおよび後面側ピースの２つのピースに分割され、前記各ピースを前記既設支柱を挟んで結合することによって、前記カバーを前記既設支柱に被せることを特徴とする、請求項７記載の、既設フェンスの改装方法。
【発明の詳細な説明】
【技術分野】
【０００１】
この発明は、改装用支柱カバー、特に、既設フェンスを改装するに際して、既設支柱に被せられる支柱カバーに関するものである。
【背景技術】
【０００２】
従来から広く構築されているフェンスとしてネットフェンスがある。このネットフェンスは、図８および図９に示すように、断面形状ハット形の支柱２１と、支柱２１間に固定された、上下端に胴縁２２が取り付けられたネット金網２３とからなっている。胴縁２２は、アングル鋼からなり、ネット金網２３は、菱形金網からなっている。胴縁２２は、ナックル加工された菱形金網の端部に挿通した鉄線２４を、胴縁２２の垂直部に形成された爪２２Ａに引っ掛けることによってネット金網２３に取り付けられている。
【０００３】
胴縁２２の垂直部は、支柱２１のリップ部に形成された爪２１Ａ内に挿入され、胴縁２２の水平部は、支柱２１の山部に挿通されたボルト２５により固定金具２６を介して固定されている。固定金具２６は、胴縁２２の水平部が嵌め込まれる溝２６Ａを有し、袋ナット２７によって固定されている。
【０００４】
図８および図９には、上胴縁のみが示されているが、下胴縁についてもその固定構造は、上胴縁と基本的に同じである。
【０００５】
ネット金網２３の中間部は、この中間部の金網に挿通した鉄線２８を、鉄線２８が嵌め込まれる溝２９Ａを有する固定金具２９を介してボルト３０、ナット３１により固定されている。
【０００６】
このように構成されているネットフェンスは、年月が経過すると、支柱２１に錆が発生したり、ネット金網２３が破れたりあるいは変形したりして、美観が著しく損なわれる。このようなフェンスを改装するには、支柱２１の塗装を塗り直すか、新たな支柱に建て替える方法等が一般的に取られていた。
【発明の開示】
【発明が解決しようとする課題】
【０００７】
しかしながら、上述の改装法は、次のような問題があった。すなわち、支柱２１の塗装の塗り直し作業は、手間と時間がかかると共に、塗り直しても新設の場合に比べると見劣りがする。また、新たな支柱に建て替える作業は、支柱２１がコンクリートブロックやコンクリートよう壁等の基礎部に埋め込まれているので、工費と時間がかかる。
【０００８】
従って、この発明の目的は、支柱の再塗装や建て替えの必要性をなくして、既設フェンスの改装が安価に容易且つ短時間に行える改装用支柱カバーを提供することにある。
【課題を解決するための手段】
【０００９】
本願発明者等は、既設フェンスの改装法について鋭意検討した結果、以下のような知見を得た。
【００１０】
大部分の既設フェンスの支柱の強度は低下していないことから、この既設支柱をそのまま利用し、その外側にカバーを被せれば、外観は新設支柱と同じになり、支柱の再塗装や建て替えの必要性がなくなる結果、既設フェンスの改装が安価に容易且つ短時間に行えるといった知見を得た。
【００１１】
この発明は、上記知見に基づきなされたものであって、下記を特徴とするものである。
【００１２】
請求項１記載の発明は、既設フェンスの改装時に使用される支柱カバーであって、前記既設フェンスの支柱に被せられる筒状カバー本体と、前記カバー本体を前記支柱に固定するための固定手段とを備えていることに特徴を有するものである。
【００１３】
請求項２記載の発明は、請求項１記載の発明において、カバー本体は、結合可能な少なくとも２つのピースに分割されていることに特徴を有するものである。
【００１４】
請求項３記載の発明は、請求項１記載の発明において、カバー本体は、前面側ピースおよび後面側ピースの２つのピースに分割され、前記両ピースは、雄雌嵌合構造により結合可能であることに特徴を有するものである。
【００１５】
請求項４記載の発明は、請求項１から３の内の何れか１つに記載の発明において、支柱は、ハット形鋼からなっていることに特徴を有するものである。
【００１６】
請求項５記載の発明は、請求項１から４の内の何れか１つに記載の発明において、カバー本体は、平面形状がほぼ三角形状、四角形状または円形状に形成されていることに特徴を有するものである。
【００１７】
請求項６記載の発明は、請求項１から５の内の何れか１つに記載の発明において、固定手段は、ボルトからなっていることに特徴を有するものである。
【００１８】
請求項７記載の発明は、既設フェンスを支柱を残して解体し、次に、前記既設支柱にカバーを被せ、そして、このようにしてカバーを被せた既設支柱を新設支柱としてフェンスを構築することに特徴を有するものである。
【００１９】
請求項８記載の発明は、請求項７記載の発明において、カバーは、結合可能な前面側ピースおよび後面側ピースの２つのピースに分割され、前記各ピースを既設支柱を挟んで結合することによって、カバーを既設支柱に被せることに特徴を有するものである。
【発明の効果】
【００２０】
この発明によれば、既設フェンスの支柱をそのまま利用し、その外側にカバーを被せることによって、外観は新設支柱と同じになる。この結果、既設支柱の再塗装や建て替えの必要性がなくなるので、既設フェンスの改装が安価に容易且つ短時間に行える。
【発明を実施するための最良の形態】
【００２１】
この発明の改装用支柱カバーの一実施態様を、図面を参照しながら説明する。
【００２２】
図１は、この発明の三角形状支柱カバーが被せられた支柱を示す断面図、図２は、この発明の三角形状支柱カバーが被せられた支柱を示す部分正面図、図３は、この発明の別の三角形状支柱カバーが被せられた支柱を示す断面図、図４は、この発明の四角形状支柱カバーが被せられた支柱を示す断面図、図５は、この発明の別の四角形状支柱カバーが被せられた支柱を示す断面図、図６は、この発明の円形状支柱カバーが被せられた支柱を示す断面図、図７は、この発明の別の円形状支柱カバーが被せられた支柱を示す断面図である。
【００２３】
図１から図３に示すように、この発明の改装用支柱カバーは、断面形状がほぼ三角形状をなす筒状カバー本体１と、カバー本体１をハット形鋼からなる既設支柱２１に固定するための固定手段としてのボルト２とからなっている。
【００２４】
カバー本体１は、中央部に溝部３Ｂが形成された板状の前面側ピース３および山状の後面側ピース４の２つのピースに分割され、両ピース３、４は、雄雌嵌合構造により結合可能になっている。雄雌嵌合構造は、前面側ピース３の両側に形成された、先端部が膨らんだ突条３Ａと、後面側ピース４に形成された、突条３Ａが嵌まり込む溝４Ａとからなっている。前面側ピース３の溝部３Ｂには、ねじ孔３Ｃが形成されている。後面側ピース４には、ボルト貫通孔４Ｂが形成されている。
【００２５】
このように構成されている、この発明の支柱カバーを用いて、例えば、既設ネットフェンスを改装するには、既設支柱２１から胴縁２２、ネット金網２３を取り外し、胴縁２２を引っ掛けている爪２１Ａを押し戻して平らにする（爪２１Ａは、図８、図９参照）。このようにして既設支柱２１のみを残した後、既設支柱２１の周りに前面側ピース３と後面側ピース４とを被せ、前面側ピース３の突条３Ａを後面側ピース４の溝４Ａ内に押し込んで両ピース３、４を一体化する。そして、ボルト２を、後面側ピース４のボルト貫通孔４Ｂから既設支柱２１にもともと形成されているボルト貫通孔２１Ｂを通して、前面側ピース３の溝部３Ｂのねじ孔３Ｃにねじ込む。これによって、既設支柱２１の外側にカバー本体１が固定される。
【００２６】
このようにして、既設支柱２１の外側にカバー本体１が固定されたら、この支柱を新設支柱として、これにネット金網を従来と同様な方法により固定すれば、既設ネットフェンスの改装が完了する。
【００２７】
この発明によれば、既設支柱をそのまま使用できるので、支柱の構築のためのコンクリートブロックやコンクリートよう壁等の基礎部の構築が不要となる。この結果、既設フェンスの改装のための工費および工期が大幅に削減される。
【００２８】
この発明の支柱カバーは、上述したように、ハット形鋼からなる支柱を備えたネットフェンスの改装以外に、断面角型支柱あるいは円形支柱を備えたメッシュフェンス等の改装にも適用可能である。
【００２９】
図２に示すように、カバーが被せられた改装支柱の上端にキャップ５を被せ、改装支柱の基部に根巻カバー６を取り付ければ、さらに、外観が良くなる。
【００３０】
以上の例は、ボルト２を後面側ピース４側からねじ込む場合であるが、図３に示すように、ボルト２を前面側ピース３側からねじ込んでも良い。この場合には、前面側ピース３の溝部３Ｂにボルト貫通孔３Ｄを形成し、後面側ピース４にねじ孔４Ｃを形成する。
【００３１】
カバー本体１の断面形状は、図４および図５に示すように、四角形状でも良いし、図６および図７に示すように、円形状であっても良い。図４から図７において、図１から図３におけると同一番号は、同一物を示し説明は省略する。
【図面の簡単な説明】
【００３２】
【図１】この発明の三角形状支柱カバーが被せられた支柱を示す断面図である。
【図２】この発明の三角形状支柱カバーが被せられた支柱を示す部分正面図である。
【図３】この発明の別の三角形状支柱カバーが被せられた支柱を示す断面図である。
【図４】この発明の四角形状支柱カバーが被せられた支柱を示す断面図である。
【図５】この発明の別の四角形状支柱カバーが被せられた支柱を示す断面図である。
【図６】この発明の円形状支柱カバーが被せられた支柱を示す断面図である。
【図７】この発明の別の円形状支柱カバーが被せられた支柱を示す断面図である。
【図８】ネットフェンスを示す部分正面図である。
【図９】ネットフェンスを示す部分側面図である。
【符号の説明】
【００３３】
１：カバー本体
２：ボルト
３：前面側ピース
３Ａ：突条
３Ｂ：溝部
３Ｃ：ねじ孔
３Ｄ：ボルト貫通孔
４：後面側ピース
４Ａ：溝
４Ｂ：ボルト貫通孔
４Ｃ：ねじ孔
５：キャップ
６：根巻カバー
【図１】
2006169749.tif 000003
【図２】
2006169749.tif 000004
【図３】
2006169749.tif 000005
【図４】
2006169749.tif 000006
【図５】
2006169749.tif 000007
【図６】
2006169749.tif 000008
【図７】
2006169749.tif 000009
【図８】
2006169749.tif 000010
【図９】
2006169749.tif 000011